(57)【要約】    【課題】  防護体を、着用者用並びに信号送信手段用の防護された保護体とし、併せて信号搬送用（例えば通信目的用またはその他）のプラットホームとして使用することを可能にするために、防護体の構造を信号送信手段の構造と一体化する方法を具現化する防護衣服が開示される。    【解決手段】  開示される防護衣服（１）は、使用される衣服の着用者を防御するように配置される防護手段（５）を含んでおり、信号線路手段（８）が、その内部における信号搬送用として衣服の内部に組み込まれる。この信号線路手段は、防護手段がこの信号線路手段と使用衣服の着用者との両者を防御するように配置される。    【選択図】  図１ｂ
2008504514.tif 000002
【特許請求の範囲】
【請求項１】
使用される衣服の着用者を防御するように配置される防護手段と、該防護手段の内部に該内部における信号搬送用として組み込まれる信号線路手段とを含む防護衣服であって、前記防護手段が前記信号線路手段と使用衣服の着用者との両者を防御するように、前記信号線路手段が配置される防護衣服。
【請求項２】
前記防護手段が前記信号線路手段を該防護手段の実質的に対向する面において同時に防御するように、前記信号線路手段が前記防護手段の構成部分の間に配置される請求項１に記載の防護衣服。
【請求項３】
前記防護手段が前記信号線路手段を取り囲み、それによって前記信号線路手段の実質的にすべての部分を同時に防御する請求項１または請求項２のいずれか１項に記載の防護衣服。
【請求項４】
前記信号線路手段が、前記使用衣服の着用者に最も近い防護手段の内側の構成部分と、前記使用衣服の着用者からより離れた防護手段の外側の構成部分との間に配置され、該防護手段の外側の構成部分は、同時に、前記防護手段が前記信号線路手段を該防護手段の実質的に対向する面において同時に防御するように、前記防護手段の内側の構成部分と前記信号線路手段とに重なり合う請求項１〜請求項３のいずれか１項に記載の防護衣服。
【請求項５】
前記防護手段が、複数の重なり合う隣接防護体構成部分を含んで、防護体構成部分の積み重ね体を形成し、該積み重ね体の内部に、前記信号線路手段が、前記積み重ね体の重なり合う防護体構成部分の間に位置しかつ前記重なり合う防護体構成部分によって被覆されるように組み込まれる請求項１〜請求項４のいずれか１項に記載の防護衣服。
【請求項６】
前記積み重ね体の各防護体構成部分が、前記信号線路手段が組み込まれる積層体を形成するように前記積み重ね体の各層を互いに重ね合わせた防護体の１つの層である請求項５に記載の防護衣服。
【請求項７】
前記防護体の内部に、該内部における前記信号線路手段に機能接続される受動型回路素子および／または能動型回路素子を含む請求項１〜請求項６のいずれか１項に記載の防護衣服。
【請求項８】
前記防護体の内部に、該内部における前記信号線路手段によって搬送される信号を処理し、かつ前記信号線路手段への出力用の信号を発生するように構成される信号プロセッサ手段を含む請求項１〜請求項７のいずれか１項に記載の防護衣服。
【請求項９】
前記信号プロセッサ手段が前記信号線路手段に機能接続される請求項８に記載の防護衣服。
【請求項１０】
前記信号線路手段が、前記防護体内部の前記信号線路手段と前記防護体の外部または内部の信号応答手段との間に信号を伝送してその間の信号の通過を可能にするための、前記防護体の内部に配置される信号伝送手段を含む請求項１〜請求項９のいずれか１項に記載の防護衣服。
【請求項１１】
前記信号伝送手段が、信号を、前記防護体を通して無線で通過させるためのアンテナ手段を含む請求項１０に記載の防護衣服。
【請求項１２】
前記信号伝送手段が、前記防護体の外部の信号線路に信号を送るために前記信号線路を接続するように構成される接続器手段を含む請求項１０または請求項１１のいずれか１項に記載の防護衣服。
【請求項１３】
前記信号線路手段が電気的に応答する信号送信手段を組み込んでいる請求項１〜請求項１２のいずれか１項に記載の防護衣服。
【請求項１４】
前記信号線路手段が電気回路手段の少なくとも一部を組み込んでいる請求項１〜請求項１３のいずれか１項に記載の防護衣服。
【請求項１５】
前記信号線路手段が光学的な信号送信手段を組み込んでいる請求項１〜請求項１４のいずれか１項に記載の防護衣服。
【請求項１６】
前記信号線路手段が可撓性である請求項１〜請求項１５のいずれか１項に記載の防護衣服。
【請求項１７】
前記信号線路手段が曲げられる請求項１６に記載の防護衣服。
【請求項１８】
前記信号線路の少なくとも一部分が、前記衣服の防護体の少なくとも一部分をそれ自体が形成する装着手段の上に装着される請求項１〜請求項１７のいずれか１項に記載の防護衣服。
【請求項１９】
前記信号線路の少なくとも一部分が、前記衣服の防護体の少なくとも一部分をそれ自体が形成する装着手段の内部に埋め込まれる請求項１〜請求項１８のいずれか１項に記載の防護衣服。
【請求項２０】
前記装着手段が、受動型および／または能動型の回路素子が配置される領域と、前記信号線路手段が配置される相対的に薄い領域とを有するシートである請求項１８または請求項１９のいずれか１項に記載の防護衣服。
【請求項２１】
前記装着手段が可撓性の電子回路基板のシートである請求項１８〜請求項２０のいずれか１項に記載の防護衣服。
【請求項２２】
前記装着手段が曲げられる請求項１８〜請求項２１のいずれか１項に記載の防護衣服。
【請求項２３】
前記信号線路の少なくとも一部分が、前記衣服の防護体の内部に包み込まれる請求項１〜請求項２２のいずれか１項に記載の防護衣服。
【請求項２４】
前記衣服の防護体の内部の信号線路手段の少なくとも一部分を前記衣服の外部の電磁放射から遮蔽するために、前記衣服の防護体の内部に配置される電磁（ＥＭ）遮蔽手段を含む請求項１〜請求項２３のいずれか１項に記載の防護衣服。
【請求項２５】
前記ＥＭ遮蔽手段が、受動型および／または能動型素子と前記信号プロセッサ手段とを前記衣服の外部の電磁放射から遮蔽するように配置される請求項２４および請求項７または請求項８のいずれか１項に記載の防護衣服。
【請求項２６】
前記ＥＭ遮蔽手段が、該手段によって遮蔽されるべき品目が前記ＥＭ遮蔽と前記衣服の着用者との間に位置するように前記衣服の内部に配置される請求項２４または請求項２５のいずれか１項に記載の防護衣服。
【請求項２７】
前記ＥＭ遮蔽手段が、遮蔽用として該手段が配置される品目を包み込む請求項２４〜請求項２６のいずれか１項に記載の防護衣服。
【請求項２８】
前記衣服の防護体の内部において、前記信号線路手段の周りに配置されて水分に対する遮蔽を形成する水分遮蔽手段を含む請求項１〜請求項２７のいずれか１項に記載の防護衣服。
【請求項２９】
前記水分遮蔽手段が前記ＥＭ遮蔽手段でもある請求項２８および請求項２４〜請求項２７のいずれか１項に記載の防護衣服。
【請求項３０】
前記水分遮蔽手段内部の水分の存在に対する検知可能な応答を提供するように構成される水分応答手段を含む請求項２８または請求項２９のいずれか１項に記載の防護衣服。
【請求項３１】
前記水分応答手段が、前記水分遮蔽手段内部の湿度を監視しかつ監視される前記湿度のレベルが所定の限界値を超えると検知可能な信号を発生するように構成される湿度検知器手段である請求項３０に記載の防護衣服。
【請求項３２】
前記防護体の一部またはすべてが剛体である請求項１〜請求項３１のいずれか１項に記載の防護衣服。
【請求項３３】
前記防護体の一部またはすべてが可撓性である請求項１〜請求項３１のいずれか１項に記載の防護衣服。
【請求項３４】
前記衣服が着用者の身体の周りに着用されるように構成される請求項１〜請求項３３のいずれか１項に記載の防護衣服。
【請求項３５】
前記衣服が着用者の頭部の周りに着用されるように構成される請求項１〜請求項３４のいずれか１項に記載の防護衣服。
【請求項３６】
前記防護体が弾道防護体である請求項１〜請求項３５のいずれか１項に記載の防護衣服。
【請求項３７】
使用される衣服の着用者を防御する防護衣服の製品の製造方法であり、着用可能な防護体の１つの品目および衣服の１つの製品を用意するステップと、（任意の順序において）
（ａ）前記着用可能な防護体の品目の内部に、該内部における信号搬送用として信号線路手段を組み込むステップと、
（ｂ）前記着用可能な防護体の品目を前記衣服の製品の中に配置するステップと、
を含む製造方法であって、
前記着用可能な防護体が前記信号線路手段と前記使用衣服の着用者との両者を防御するように、前記信号線路手段を配置する製造方法。
【請求項３８】
前記防護体が前記信号線路手段を該防護体の実質的に対向する面において同時に防御するように、前記信号線路手段を、前記着用可能な防護体の構成部分の間に位置する形に配置するステップを含む請求項３７に記載の製造方法。
【請求項３９】
前記防護体が前記信号線路手段の実質的にすべての部分を同時に防御するように、前記信号線路手段を前記着用可能な防護体によって取り囲まれる形に配置するステップを含む請求項３７または請求項３８のいずれか１項に記載の製造方法。
【請求項４０】
ステップ（ｂ）が、前記使用衣服の着用者に最も近い着用可能な防護体の内側の構成部分と、前記使用衣服の着用者から離れかつ同時に前記防護手段の内側の構成部分に重なり合う着用可能な防護体の外側の構成部分とを用意するステップを含み、ステップ（ａ）は、前記防護手段が前記信号線路手段を該防護手段の実質的に対向する面において同時に防御するように、前記信号線路手段を、前記内側および外側の防護体構成部分の間に位置しかつ該内側および外側の防護体構成部分に覆われる形に配置するステップを含む請求項３７〜請求項３９のいずれか１項に記載の製造方法。
【請求項４１】
複数の重なり合う隣接防護体構成部分を、防護体構成部分の積み重ね体を形成するように配置し、該積み重ね体の内部に、前記信号線路手段を、前記積み重ね体の重なり合う防護体構成部分の間に位置しかつ該重なり合う防護体構成部分によって被覆されるように組み込むことによって、前記着用可能な防護体の品目を用意する請求項３７〜請求項４０のいずれか１項に記載の製造方法。
【請求項４２】
前記信号線路手段が組み込まれる積層体を形成するように前記積み重ね体の各層を互いに重ね合わせた防護体の層の重なり合う複数の隣接層を配置することによって、前記積み重ね体を用意するステップを含む請求項４１に記載の製造方法。
【請求項４３】
防護体の第１の品目上に前記信号線路手段を形成し、引き続いて、前記信号線路手段を、前記防護体の第１の品目と、防護体の別個の第２の品目との間に挟み込み、それによって前記防護体の着用可能な品目を形成するステップを含む請求項３７〜請求項４２のいずれか１項に記載の製造方法。
【請求項４４】
前記防護体の第１の品目を、前記防護体の別個の第２の品目と防護体の別個の第３の品目との間に挟み込み、それによって着用可能な防護体の品目を形成するステップを含む請求項４３に記載の製造方法。
【請求項４５】
ステップ（ａ）が、前記着用可能な防護体の品目の内部に、該内部における前記信号線路手段に機能接続される受動型回路素子および／または能動型回路素子を組み込むステップを含む請求項３７〜請求項４４のいずれか１項に記載の製造方法。
【請求項４６】
ステップ（ａ）が、前記着用可能な防護体の品目の内部に、該内部における前記信号線路手段によって搬送される信号を処理し、かつ前記信号線路手段への出力用の信号を発生するための信号プロセッサ手段を組み込むステップを含む請求項３７〜請求項４５のいずれか１項に記載の製造方法。
【請求項４７】
前記信号プロセッサ手段を前記信号線路手段に機能接続するステップを含む請求項４６に記載の製造方法。
【請求項４８】
ステップ（ａ）が、前記防護体内部の前記信号線路手段と前記防護体の外部または内部の信号応答手段との間に信号を伝送してその間の信号の通過を可能にするための信号伝送手段を前記防護体の内部に含むように、前記信号線路手段を形成するステップを含む請求項３７〜請求項４７のいずれか１項に記載の製造方法。
【請求項４９】
前記信号伝送手段の形成が、信号を、前記防護体を通して無線で通過させるためのアンテナ手段の形成を含む請求項４８に記載の製造方法。
【請求項５０】
前記防護体の外部の信号線路に信号を送るために前記信号線路を接続するように構成される接続器手段を備えた前記信号伝送手段を用意するステップを含む請求項４８または請求項４９のいずれか１項に記載の製造方法。
【請求項５１】
ステップ（ａ）が、前記信号線路手段の内部に電気的に応答する信号送信手段を組み込むステップを含む請求項３７〜請求項５０のいずれか１項に記載の製造方法。
【請求項５２】
ステップ（ａ）が、前記信号線路手段の内部に電気回路手段の少なくとも一部を組み込むステップを含む請求項３７〜請求項５１のいずれか１項に記載の製造方法。
【請求項５３】
ステップ（ａ）が、前記信号線路手段の少なくとも一部に光学的な信号送信手段を組み込むステップを含む請求項３７〜請求項５２のいずれか１項に記載の製造方法。
【請求項５４】
ステップ（ａ）が、前記信号線路手段を可撓性であるように形成するステップを含む請求項３７〜請求項５３のいずれか１項に記載の製造方法。
【請求項５５】
前記着用可能な防護体の品目を、前記信号線路手段を備えた衣服の製品の中に曲げた状態で組み込む請求項５４に記載の製造方法。
【請求項５６】
ステップ（ａ）が、前記信号線路の少なくとも一部分を、防護された装着手段上に装着するステップを含み、ステップ（ｂ）が、前記装着手段を前記衣服の製品の内部に組み込んで、前記衣服の防護体の少なくとも一部分を形成するステップを含む請求項３７〜請求項５５のいずれか１項に記載の製造方法。
【請求項５７】
ステップ（ａ）が、前記信号線路の少なくとも一部分を、防護された装着手段の内部に埋め込むステップを含み、ステップ（ｂ）が、前記装着手段を前記衣服の製品の内部に組み込んで、前記衣服の防護体の少なくとも一部分を形成するステップを含む請求項３７〜請求項５６のいずれか１項に記載の製造方法。
【請求項５８】
ステップ（ａ）が、相対的に薄い領域を有する防護材料のシートの形態の前記装着手段を用意するステップと、前記シートの相対的に薄い領域に前記信号線路手段を形成するステップと、前記シートの他の領域に受動型および／または能動型回路素子を形成するステップとを含む請求項３７〜請求項５７のいずれか１項に記載の製造方法。
【請求項５９】
前記装着手段を可撓性の電子回路基板のシートとして用意するステップを含む請求項５６〜請求項５８のいずれか１項に記載の製造方法。
【請求項６０】
前記防護体の品目の内部の信号線路手段の少なくとも一部分を前記衣服の外部の電磁放射から遮蔽するために、該防護体の品目の内部に電磁（ＥＭ）遮蔽手段を形成する付加的なステップを含む請求項３７〜請求項５９のいずれか１項に記載の製造方法。
【請求項６１】
受動型および／または能動型素子と前記信号プロセッサ手段とを前記衣服の外部の電磁放射から遮蔽するためのＥＭ遮蔽手段を形成するステップを含む請求項６０および請求項４５または請求項４８のいずれか１項に記載の製造方法。
【請求項６２】
前記ＥＭ遮蔽手段を、該手段によって遮蔽されるべき品目が前記ＥＭ遮蔽と前記衣服の着用者との間に位置するように、前記衣服の内部に形成するステップを含む請求項６０または請求項６１のいずれか１項に記載の製造方法。
【請求項６３】
遮蔽用として前記ＥＭ遮蔽手段が配置される品目を包み込むための該ＥＭ遮蔽手段を形成するステップを含む請求項６０〜請求項６２のいずれか１項に記載の製造方法。
【請求項６４】
前記着用可能な防護体の品目の内部において、水分に対する遮蔽とするために、前記信号線路手段の周りに水分遮蔽手段を形成するステップを含む請求項３７〜請求項６３のいずれか１項に記載の製造方法。
【請求項６５】
前記水分遮蔽手段が前記ＥＭ遮蔽手段でもある請求項６４および請求項６１〜請求項６３のいずれか１項に記載の製造方法。
【請求項６６】
前記水分遮蔽手段内部の水分の存在に対する検知可能な応答を提供するために、前記着用可能な防護体の品目の内部に水分応答手段を設けるステップを含む請求項６４または請求項６５のいずれか一項に記載の製造方法。
【請求項６７】
前記水分応答手段が湿度検知器手段である請求項６６に記載の方法であって、前記水分遮蔽手段内部の湿度を監視し、かつ監視される前記湿度のレベルが所定の限界値を超えると検知可能な信号を発生するように、前記湿度検知器を構成するステップを含む製造方法。
【請求項６８】
防護体内部における信号搬送用として該防護体内部に埋め込まれた信号線路手段を組み込んでいる防護体。
【請求項６９】
防護体内部における信号搬送用として該防護体内部に埋め込まれた信号線路手段を組み込んでいる弾道防護体。
【請求項７０】
添付の図面に関連して言及したあらゆる具現化形態において実質的に説明した防護衣服。
【請求項７１】
添付の図面に関連して言及したあらゆる具現化形態において実質的に説明した防護衣服の製品の製造方法。
【請求項７２】
添付の図面に関連して言及したあらゆる具現化形態において実質的に説明した防護体。
【請求項７３】
添付の図面に関連して言及したあらゆる具現化形態において実質的に説明した弾道防護体。
【発明の詳細な説明】
【技術分野】
【０００１】
本発明は、防護体、特に着用可能な防護衣服、および防護衣服の製品、並びにこれらの製造方法に関する。
【背景技術】
【０００２】
個人用の防護体を着用する可能性がきわめて高いか、あるいは着用するよう要請される可能性がきわめて高い個人は、一般的に、通信器具をも携行するかあるいは携行するよう要請される可能性が高い。このような個人の例として、警備、警察、または武装警護に関係する職員が含まれる。かかる職員は、電気回路製品または電気回路素子を含む他の装備品の携行も要請されることがある。多くの場合、かかる職員は、個人用の防護体（例えば身体防護体）着用に加えて、数点の別個の装備品を携行しなければならず、これらの装備品は、全体として相当な負荷となり、着用者にある程度の疲労と不快感をもたらす。一般的に、個人用の防護体の品目は他の装備品をそれに装着し得る場合があるが、これらの防護体の品目は、通信用の別個の品目または他の機器の携行を可能にする視点で特殊設計されておらず、身体防護体を着用することによって、付加的な機器を個人または着用者の身の回りに装着し得る手段が妨害される場合が多い。さらに、個人用の防護体そのものは、通常、付加的機器に対する防護をなし得ず、また付加的機器が使用者に対するいかなる保護（例えば弾道保護）をも提供することはない。
【発明の開示】
【発明が解決しようとする課題】
【０００３】
本発明の目的は、現行技術における上記の欠陥の少なくとも幾分かに対処する防護衣服を提供することにある。
【課題を解決するための手段】
【０００４】
本発明は、最も一般的な形態として、防護体を、着用者用並びに信号送信手段用の防護された保護体とし、併せて信号搬送用（例えば通信目的用またはその他）のプラットホームとして使用することを可能にするために、防護体の構造を信号送信手段の構造と一体化することを提案する。
【０００５】
本発明は、その第１態様において、使用される衣服の着用者を防御するように配置される防護手段と、衣服の内部にその中における信号搬送用として組み込まれる信号線路手段とを含む防護衣服を提供することができる。この信号線路手段は、防護手段が信号線路手段と使用衣服の着用者との両者を防御するように配置される。この方法によって、衣服の防護手段がどのような形態を取るにしても（例えば、可撓性防護材料のシートのような可撓性防護体、セラミック防護プレートのような防護板その他）、この防護手段を衣服の内部に配置して、その中の信号線路手段を少なくともある程度まで防御し、かつ同時にその衣服の着用者を防御することができる。信号線路手段の防御は、防護手段によって、着用者の防御と同様に行うことができる。防護手段は、衝撃物体（例えば弾丸）または切創物体（例えば突き刺し物体）の貫通に対して抵抗力のある１つの領域または複数の領域を形成し、それによってかかる物体から着用者を防護する材料を含むことが最も好ましい。防護体は「弾道防護体」とすることができる。この「弾道防護体」は、銃弾等の弾道または高速投射物体の貫通に抵抗力を有しかつこれから着用者を保護するのに適した防護体のことを言うものと理解されるべきである。
【０００６】
信号線路手段は、防護手段がその実質的に対向する面において信号線路手段を同時に防御するように、防護手段の構成部分の間に配置するのが好ましい。例えば、衣服の防護手段は、同時に着用者の対向する側面に着用されるように、あるいはその側面を保護するように（例えば前面および背面のカバー）配置される防護体構成部分または防護体部品を有することができる。これによって、衣服の信号線路手段に対して同じ同時保護が提供される。
【０００７】
防護手段は信号線路手段を取り囲む（例えば全体的に取り囲むあるいは包み込む）ことが望ましく、それによって信号線路手段の実質的にすべての部分を同時に防御するか、あるいは信号線路手段の少なくともすべての側面を防御する。
【０００８】
信号線路手段は、使用衣服の着用者に最も近い防護手段の内側の構成部分と、衣服着用者からより離れた防護手段の外側の構成部分との間に配置することが望ましい。同時に、この防護手段の外側の構成部分は、防護手段が信号線路手段を防護手段の実質的に対向する面において同時に防御するように、防護手段の内側の構成部分と信号線路手段とに重なり合う。
【０００９】
本発明による防護衣服は、その第１態様において、その防護手段の内部に、その内部における信号搬送用として信号線路手段を好適に組み込んでいる。この組み込みは、例えば、防護手段の内部への埋め込みおよび／またはカプセル化によって行うことができる。
【００１０】
防護手段は、複数の重なり合う隣接防護体構成部分を含んで、防護体構成部分の積み重ね体を形成することができる。この積み重ね体の内部に、信号線路手段が、積み重ね体の重なり合う防護体構成部分の間に位置しかつその重なり合う防護体構成部分によって被覆されるように組み込まれる。積み重ね体の各防護体構成部分は、信号線路手段が組み込まれる積層体を形成するように積み重ね体の各層を互いに重ね合わせた防護体の１つの層とすることができる。
【００１１】
この方法で、信号線路手段を、衣服の防護体の構造および本体の内部に、入れ込むおよび／または形成させるおよび／または埋め込むことができる。これは、信号線路手段を、そのような防護体の中に組み込むことなく単にその防護体で取り囲む方式とは明確に異なっている。これによって、線路手段は防護体によって頑丈に保護される。
【００１２】
防護衣服は、受動型回路素子および／または能動型回路素子を組み込むことができる。この受動型回路素子および／または能動型回路素子は、防護手段によって防御され、かつ好ましくはその中に組み込まれ、さらに最も好ましくは防護体内部における信号線路手段に機能接続される。
【００１３】
防護衣服は、防護手段によって防御される（例えばその内部に組み込まれる）信号プロセッサ手段を組み込むことができる。この信号プロセッサ手段は、例えば防護手段内部の信号線路手段によって搬送される信号を処理するように、さらに追加的にあるいは代替的に、信号線路手段への出力用の信号を発生するように構成される。
【００１４】
信号プロセッサ手段は、信号線路手段に機能接続することができるか、あるいは、それには接続しないが他の方法で信号線路手段に信号を搬送するように構成することができる（例えば無線で）。
【００１５】
例えば、信号線路手段は、防護手段によって防御されるかあるいはその中に組み込まれる信号伝送手段を含むことができる。この信号伝送手段は、防護手段によって防御されるかあるいはその中に組み込まれる信号線路手段と、衣服または防護手段の外部または内部の信号応答手段との間に信号を伝送して、その間の信号の通過を可能にするためのものである。信号伝送手段は、信号を、防護手段を通して無線で通過させるためのアンテナ手段を含むことができる。このような無線通信は、例えば衣服の内部（例えば防護手段の内部）に組み込まれる素子間において、あるいは、内部と外部との通信手段の間において行うことができる。従って、衣服および／または防護手段内部の能動素子は、無線信号発生器、送信器および／または受信器を含むことができる。これらの各機器は、１つ以上のアンテナ手段に機能接続することができる。
【００１６】
信号伝送手段は、衣服および／または防護手段の外部の信号線路に信号を送るために信号線路を接続するように構成される接続器手段を含むことができる。この接続器手段は、防護手段を通り抜けており、それによって外部の信号線路が外部においてそれと接続することが可能になる。あるいは逆に内部接続も可能になる。接続器手段には信号の入力・出力端子を設けることができ、それを経由して、信号を、衣服および／または防護手段の内部におよび／またはその内部から通信することができる。電源も、この方法で、衣服および／または防護手段の内部におよび／またはその内部から供給することができる。
【００１７】
信号線路手段は、電気的に応答する信号送信手段を組み込むことができ、また、電気回路手段の少なくとも一部を組み込むことができる。
【００１８】
信号線路手段と、それに機能接続される素子とに対する電力供給用の電力供給手段を、防護手段によって防御される（例えば防護手段の内部に組み込まれて）ように、衣服の内部に組み込むことができる。電力供給手段は、衣服および／または防護手段の内部の信号線路手段、あるいは受動型・能動型手段または信号プロセッサ手段に接続することができる。電力供給手段は、外部の誘導結合手段に応答して、それによって、衣服および／または防護手段の内部に組み込まれる電力電気素子へのエネルギーを生成するように構成される誘導結合手段（例えば誘導コイル、若しくはループ）を含むことができる。
【００１９】
追加的に、あるいは代替的に、信号線路手段は、光ファイバ送信ラインのような光学的な信号送信手段を組み込むか、または含むことができる。防護体には、受動型または能動型の光学的または電気・光学的素子を組み込むことができる。信号線路手段は、マイクロ波または類似の放射搬送用のマイクロストリップライン・導波路のような電磁信号送信ラインをも含むことができる。
【００２０】
信号線路手段は可撓性であることが望ましい。これによって、使用に際して、また着用時に線路を曲げることが可能になり、湾曲特性を有する防護体においてそれを用いることが可能になる。信号線路手段が組み込まれる防護衣服は曲げてもよく、それに対応して信号線路手段も曲げられた状態になることができる。
【００２１】
信号線路の少なくとも一部分（好ましくはその全て）を、それ自体が衣服の防護体の少なくとも一部分を形成する装着手段の上に装着すること、あるいはその装着手段の内部に形成することができる。ケブラー（Ｋｅｖｌａｒ：商標）（ＲＴＭ）または同類材料がこの装着手段用として適している。この材料が、防護体（例えば弾道防護体）としてのみでなく、電気回路（例えば回路基板）用の装着基板としての用途に対しても適しているからである。他の材料（例えばセラミック）も、可撓性防護体と共に、あるいはその代わりに用いることができる。例えば、信号線路の少なくとも一部分（あるいはその全体）を、それ自体が衣服の防護手段の少なくとも一部分を形成する装着手段の内部に埋め込むことができる。
【００２２】
装着手段は、精緻な素子をその上に装着する高強度の領域と、線路装着用の柔弱であるが好適に軽くかつより可撓性の領域とを含む構造に構成することができる。装着手段は、受動型および／または能動型の回路素子が配置される領域と、信号線路手段が配置される相対的に薄い領域とを有するシート（例えば、ケブラー（ＲＴＭ）、セラミック材料等）とすることができる。薄い領域および／または薄い領域の上で信号線路手段のみを配置することが望ましい。その代わりに、装着手段の材料が適当に可撓性である場合には、装着手段は、上記のような厚さの変化を省略することができる。
【００２３】
装着手段を可撓性の電子回路基板のシートとし、線路手段を、その回路基板上に形成される信号線路トラック（例えばプリント型、またはエッチング型電導トラック）とすることができる。能動型および／または受動型の素子等も、従来法によって簡易に回路基板上に装着することができる。ケブラー（ＲＴＭ）回路基板を使用してもよい。装着手段は使用時に曲げることができる。
【００２４】
信号線路の少なくとも一部分は、衣服の防護手段の内部に完全に閉じ込める（例えばカプセル化する）ことが好ましい。すなわち、信号線路または少なくともその部分は、衣服の防護体によって完全に取り囲む（例えば全側面について）のがよい。代案的な実施形態においては、線路を、防護手段によって完全に取り囲むことなく、防護手段の内部に納める（例えば、その内部の防護体の部分の間に挟み込む）ことができる。
【００２５】
防護衣服は、防護手段の内部に組み込まれる信号線路手段の少なくとも一部分を衣服の外部の電磁放射から遮蔽するために、例えば衣服の防護手段の内部に配置される電磁（ＥＭ）遮蔽手段を含むことができる。このＥＭ遮蔽手段は、線路等の全面に広がる（しかしそれから分離した）金属箔、あるいは、金属化されたプラスチックのシートから構成することができる。ＥＭ遮蔽は、防護体内部の線路、および／または能動型または受動型素子、および／または信号プロセッサが本質的に電気的なものである場合に特に有用である。
【００２６】
ＥＭ遮蔽手段は、受動型および／または能動型の素子と前記の信号プロセッサ手段とを、衣服の外部の電磁放射から遮蔽するように配置することも好ましい。これらの素子が電気的なものでない場合、例えばこれらが光ファイバ等である場合は、この遮蔽は不要とすることができる。
【００２７】
防護衣服は、ＥＭ遮蔽手段によって遮蔽されるべき品目がＥＭ遮蔽と衣服の着用者との間に位置するように、そのＥＭ遮蔽手段を衣服の内部に配置する構造に構成するのが望ましい。この構造によって、ＥＭ遮蔽を、保護される品目と、通常その品目をそれから保護するべきＥＭ放射源である外界との間に確実に配置することができる。
【００２８】
ＥＭ遮蔽手段は、遮蔽用としてその手段が配置される品目を包み込むことが望ましい。しかし、衣服の製品が着用者を取り囲む場合は（例えば着用者の胸部を完全に包むチョッキ）、使用着用者と、また保護するべき品目とを取り囲むＥＭ遮蔽材料を設けることで十分な可能性がある。これは、その品目を包み込むあるいはカプセル化することはないが、３６０°のＥＭ遮蔽を提供するであろう。
【００２９】
防護衣服は、その衣服の防護手段の内部において、その中に組み込まれる信号線路手段（および好ましくはまた受動型、能動型手段および信号プロセッサ手段）の周りに配置されて水分に対する遮蔽を形成する水分遮蔽手段を含むことができる。水分遮蔽手段は、それが水分遮蔽を形成する品目を完全に包み込むことが望ましく、また、耐水性であることが好ましい。水分遮蔽手段はＥＭ遮蔽手段でもあることが好ましい。水分遮蔽手段は、また、防護衣服の防護手段のすべてを完全に包み込むことが望ましい。この方式は、防護材料および／または装着手段がＥＧケブラー（ＲＴＭ）の場合に特に有用である。ＥＧケブラー（ＲＴＭ）は、水分と接すると、急速に剛性を失い（あるいはきわめて容易に変形し得るようになり）、それによって保護能力が減退するからである。水は防護材料の繊維を効果的に潤滑し、その結果、材料が容易に変形する効果がもたらされる。当然のことながら、このような水分の影響を受けない防護材料を用いる実施形態においては、損傷または危険性なく、水分遮蔽を省略することができる。水分は、通常また、防護体内部の信号線路手段、およびあらゆる受動型または能動型素子または信号処理素子の損傷をもたらす可能性がある。
【００３０】
防護衣服は、水分遮蔽手段内部の水分の存在に対する検知可能な応答を提供するように構成される水分応答手段を含むことができる。この水分応答手段は、水分遮蔽手段内部の湿度を監視しかつ監視される湿度のレベルが所定の限界値を超えると検知可能な信号を発生するように構成される湿度検知器手段であることが望ましい。この検知可能な信号は、防護手段の内部から無線送信するか、あるいは、その内部から聴取可能に音響出力するか、あるいは、防護手段に埋め込まれた視覚表示手段（例えばＬＣＤスクリーン）上に表示することができる。
【００３１】
衣服の防護手段の一部またはすべては、剛体とするかあるいは可撓性のものとすることができる。硬質の防護体（例えばセラミック）と柔軟な防護体（例えばケブラー（ＲＴＭ））との組合せを使用することができる。
【００３２】
信号線路手段が接続器手段を含む場合は、接続器手段を、防護手段内部または防護手段上のあらゆるＥＭ遮蔽および／または水分遮蔽を貫通して延びるように配置することが最も望ましい。
【００３３】
衣服の防護手段は、隣接して重なり合う防護材料の一続きの層として形成することが望ましい。この場合、防護体の内部に組み込まれる品目（例えば信号線路手段、受動型／能動型素子等、ＥＭ遮蔽、水分遮蔽等）は、防護材料の隣接する層の間に挟み込まれる。ＥＭ遮蔽および／または水分遮蔽は、防護材料の中間層によって信号線路手段（およびそれに関連するあらゆる素子、信号プロセッサ）から分離することが望ましい。この方法で、複数の別個のＥＭ遮蔽層および／または複数の別個の水分遮蔽層を設けることができる。この場合、それぞれの層は、防護材料の少なくとも１枚の層（例えば２枚の層）によって他の任意の非防護層から分離される。信号線路（および関連素子）は、このような多層の２つの防護体構造の間に挟み込むことが望ましい。
【００３４】
防護衣服は、着用者の身体または頭部（例えばヘルメット）の周りに着用されるように構成することが望ましい。前者の場合には、防護体を可撓性のものにすると、衣服が着用者の体形に変形することが可能になる。硬質の防護体のタイルを衣服の中に組み込むことができる。防護衣服は、例えば戦闘に従事する兵士が自身の保護用として使用するのに適した戦闘防護体の製品とすることができるが、もちろんこの用途に限定されるわけではない。防護体の内部には、無線送信器および／または受信器回路製品および／または表示装置回路製品を組み込むことができる。このような受信器、送信器または表示装置の回路製品は、例えば、使用着用者の最も外側に位置する防護体の外側の層または構成部分の上に配置するか、あるいはその内部に埋め込むことができる。この場合、回路製品は、外側の防護体部分の内向きの面（すなわち着用者に面する側の面）に配置される。これによって、回路製品を、この外側の防護体部分と、それに接する内側の、使用着用者により近い位置の防護体層との間に挟み込むことができる。外側の層は硬質の防護材料（例えばプレート）であることが望ましく、内側の層は可撓性の防護材料であることが望ましい。挟み込まれる回路製品は、内側の層の外向きの表面に対して挟み込まれることが望ましい。
【００３５】
信号線路手段および能動型または受動型素子および／または信号プロセッサは、防護手段内部の曲率が最も小さい範囲（例えば、防護チョッキまたは身体防護体の胸部または背面の範囲）に配置するか、あるいは、曲率が相対的に高い領域に（例えば、チョッキの側面またはヘルメットに渡って）設置することができる。
【００３６】
衣服の防護体は、弾道防護体とするか、あるいは非弾道保護防護体（例えば、防弾ではないが「耐突き刺し性」等）とすることができる。本発明は、その第１態様において、本発明の別の態様による防護衣服の製造方法から得られる防護衣服を提供する。
【００３７】
このため、本発明は、その第２態様において、使用衣服の着用者を防御する防護衣服の製品の製造方法であり、着用可能な防護体の１つの品目および衣服の１つの製品を用意するステップと、（任意の順序において）（ａ）その衣服の製品の内部に、その内部における信号搬送用として信号線路手段を組み込むステップと、（ｂ）着用可能な防護体の品目を衣服の製品の中に配置するステップとを含む製造方法であって、着用可能な防護体が信号線路手段と使用衣服の着用者との両者を防御するように、信号線路手段を配置する製造方法を提供することができる。
【００３８】
この方法は、防護体が信号線路手段を防護体の実質的に対向する面において同時に防御するように、信号線路手段を、着用可能な防護体の構成部分の間に位置する形に配置するステップを含むことができる。また、この方法は、防護体が信号線路手段の実質的にすべての部分（または少なくともすべての側面）を同時に防御するように、信号線路手段を着用可能な防護体によって取り囲まれる形に配置するステップを含むことができる。
【００３９】
ステップ（ｂ）は、使用衣服の着用者に最も近い着用可能な防護体の内側の構成部分と、使用衣服の着用者から離れかつ同時に防護手段の内側の構成部分に重なり合う着用可能な防護体の外側の構成部分とを用意するステップを含むことができ、ステップ（ａ）は、防護手段が信号線路手段をその防護手段の実質的に対向する面において同時に防御するように、信号線路手段を、内側および外側の防護体構成部分の間に位置しかつその内側および外側の防護体構成部分に覆われる形に配置するステップを含むことが望ましい。
【００４０】
ステップ（ａ）は、信号線路手段を着用可能な防護体の品目の内部に組み込むステップを含むことができる。
【００４１】
着用可能な防護体の品目は、複数の重なり合う隣接防護体構成部分を、防護体構成部分の積み重ね体を形成するように配置し、その積み重ね体の内部に、信号線路手段を、その積み重ね体の重なり合う防護体構成部分の間に位置しかつその重なり合う防護体構成部分によって被覆されるように組み込むことによって用意することができる。前記の方法は、信号線路手段が組み込まれる積層体を形成するように積み重ね体の各層を互いに重ね合わせた防護体の層の重なり合う複数の隣接層を配置することによって、積み重ね体を用意するステップを含むことができる。
【００４２】
この方法は、防護体の第１の品目上に信号線路手段を形成または装着し、引き続いて、この信号線路手段を、防護体の第１の品目と、防護体の別個の第２の品目との間に挟み込み、それによって防護体の着用可能な品目を形成するステップを含むことが望ましい。
【００４３】
この方法は、防護体の第１の品目を、防護体の前記別個の第２の品目と防護体の別個の第３の品目との間に挟み込み、それによって着用可能な防護体の品目を形成するステップを含むことができる。
【００４４】
この方法は、衣服の製品の内部に、かつ好ましくは着用可能な防護体の品目の内部に、その内部における信号線路手段に機能接続されるべき受動型回路素子および／または能動型回路素子を組み込むステップを含むことができる。
【００４５】
この方法は、衣服の製品の内部に、かつ好ましくは着用可能な防護体の品目の内部に、その内部における信号線路手段によって搬送される信号を処理し、かつ、その信号線路手段への出力用の信号を発生するための信号プロセッサ手段を組み込むステップを含むことができる。
【００４６】
この方法は、信号プロセッサ手段を信号線路手段に機能接続するステップを含むことができる。
【００４７】
この方法は、衣服または防護手段内部の信号線路手段と衣服または防護手段の外部または内部の信号応答手段との間に信号を伝送してその間の信号の通過を可能にするための信号伝送手段を、衣服の製品の内部にかつ好ましくは着用可能な防護体の品目の内部に含むように、信号線路手段を形成するステップを含むことができる。
【００４８】
この方法において、前記信号伝送手段の形成は、信号を、防護体の品目を通して無線で通過させるためのアンテナ手段の形成を含むことができる。
【００４９】
この方法は、衣服および／または防護体の品目の外部の信号線路に信号を送るために信号線路を接続するように構成される接続器手段を備えた信号伝送手段を用意するステップを含むことができる。
【００５０】
この方法は、信号線路手段の内部に電気的に応答する信号送信手段を組み込むステップを含むことができる。
【００５１】
この方法は、信号線路手段の内部に電気回路手段の少なくとも一部を組み込むステップを含むことができる。
【００５２】
この方法は、信号線路手段の少なくとも一部に光学的な信号送信手段を組み込むステップを含むことができる。また、この方法は、信号線路手段を可撓性であるように形成するステップを含むことができる。着用可能な防護体の品目は、信号線路手段を備えた衣服の製品の中に曲げた状態で組み込むことができる。
【００５３】
この方法は、信号線路の少なくとも一部分を、防護された装着手段上に装着するステップを含むことができ、この装着手段を衣服の製品の内部に組み込んで、衣服の防護体の少なくとも一部分を形成するステップを含むことができる。
【００５４】
この方法は、信号線路の少なくとも一部分を、防護された装着手段の内部に埋め込むステップを含むことができ、この装着手段を衣服の製品の内部に組み込んで、衣服の防護体の少なくとも一部分を形成するステップを含むことができる。
【００５５】
この方法は、相対的に薄い領域を有する防護材料のシートの形態の装着手段を用意するステップと、このシートの相対的に薄い領域に信号線路手段を形成するステップと、このシートの他の領域に受動型および／または能動型回路素子を形成するステップとを含むことができる。
【００５６】
この方法は、装着手段を可撓性の電子回路基板のシートとして用意するステップを含むことができる。
【００５７】
この方法は、衣服の製品および／または防護体の品目の内部の信号線路手段の少なくとも一部分を衣服の外部の電磁放射から遮蔽するために、その衣服の製品および／または防護体の品目の内部に電磁（ＥＭ）遮蔽手段を形成する付加的なステップを含むことができる。
【００５８】
この方法は、受動型および／または能動型素子と前記信号プロセッサ手段とを衣服の外部の電磁放射から遮蔽するためのＥＭ遮蔽手段を形成するステップを含むことが望ましい。
【００５９】
この方法は、ＥＭ遮蔽手段を、その手段によって遮蔽されるべき品目がそのＥＭ遮蔽と衣服の着用者との間に位置するように、衣服の内部に形成するステップか、あるいは、遮蔽用としてＥＭ遮蔽手段が配置される品目を包み込むＥＭ遮蔽手段を形成するステップを含むことができる。
【００６０】
この方法は、着用可能な防護体の品目の内部において、水分に対する遮蔽を形成するために、信号線路手段の周りに水分遮蔽手段を形成するステップを含むことができる。この水分遮蔽手段はＥＭ遮蔽手段でもあることが好ましい。
【００６１】
この方法は、水分遮蔽手段内部の水分の存在に対する検知可能な応答を提供するために、着用可能な防護体の品目の内部に水分応答手段を設けるステップを含むことができる。この水分応答手段は湿度検知器手段であることが好ましく、この方法は、湿度検知器を、水分遮蔽手段内部の湿度を監視しかつ監視される湿度のレベルが所定の限界値を超えると検知可能な信号を発生するように構成するステップを含むことが望ましい。
【００６２】
以上に述べた内容および以下に述べる内容は、衣服の防護体の内部に信号線路手段（および他の品目）を組み込んだ衣服の製品に関するが、本発明は、衣服の製品の内部にあるか否かには関係なく、但しこのような用途に好適に適したものとして、単独の防護体のみをも提供し得るものであることが理解されなければならない。
【００６３】
すなわち、本発明は、その第３の態様において、防護体内部における信号搬送用としてその内部に埋め込まれた（例えばカプセル化された）信号線路手段を組み込んでいる防護体を提供することができる。
【００６４】
本発明は、その第４の態様において、防護体内部における信号搬送用としてその内部に埋め込まれた（例えばカプセル化された）信号線路手段を組み込んでいる弾道防護体を提供することができる。
【発明を実施するための最良の形態】
【００６５】
図面においては、類似の品目には同様の参照記号が付されている。
【００６６】
図１ａは、防護衣服（１）の１つの製品を示す。問題のこの衣服は、着用者の上半身に着用されるべき防護チョッキの形の身体防護体である。図１ｂはこのチョッキを概略的な「破断図」で表現しており、このチョッキの構造およびその防護体が示されている。衣服の防護体（２、５）は、耐久性を有する任意の適切な材料または繊維とすることができる外側の衣装層または構造の内部に納められている。チョッキには、剛体の胸部防護プレートタイル（図１ｂの品目７）を収納するためのポケット（１１）が設けられる。
【００６７】
この防護チョッキは、ＥＧケブラー（ＲＴＭ）または同類材料のシートを含む積層体から形成される可撓性の弾道防護体を組み込んでいる。この積層体は、使用着用者から最も離れた位置にある防護体の外層（５）と、使用着用者に最も近い位置にある防護体の内層（２）とを含んでいる。防護体の内外層は、ほぼ同一の形状に構成され、それぞれが積層体の内部で他方と完全に重なり合うような相互の位置関係に置かれ、その周縁の端部は接し合っている。
【００６８】
電子回路素子が、防護体の内層と外層との間に挟みこまれて積層体の内部に組み込まれ、ＥＧケブラー（ＲＴＭ）の可撓性回路基板材料（３、４）の１枚または複数枚のシート上に、電子回路素子そのものとして形成されるかあるいは装着される。この可撓性の回路基板材料（３、４）も着用者に対する弾道防護体または保護体となる。回路を担持する防護体シート（３、４）は、信号線路のみがその上に形成される防護体材料の相対的に薄い範囲（３）と、電子素子がその上に形成されあるいは装着される防護体材料の相対的に厚い範囲（４）とを規定するように形成される。相対的に厚い範囲（４）は、回路基板材料を過度に曲げると損傷を受けやすい可能性がある電子素子に対して大きな構造的支持を提供する。このことは、一般的に信号線路手段には当てはまらない。信号線路手段は可撓性であり、回路基板のより薄くかつ一層可撓な領域に形成される。電子素子に隣接する回路基板の中間部分の領域も同様に相対的に薄く、それによって、隣り合う電子素子間の領域においては回路基板を大きく曲げることが許容される。これによって、いくつもの電子素子が装着される回路基板の領域を、その構成要素の電子素子に不当に曲げを加えかつ応力をかけることなく、全体として曲げることが可能になる。
【００６９】
信号線路手段は、従来法の直接プリントまたはエッチングによって、相対的に薄い回路基板領域（３）上に形成される。これは、回路基板製造技術の当業者にとっては容易に明らかなとおりである。代替的に、信号線路手段を、光ファイバを含む光学的な信号線路手段、あるいは、マイクロ波または他の電磁信号またはその他同類のものの搬送用のプリント型マイクロストリップまたは導波路とすることができる。
【００７０】
電子素子には、防護体の内部に組み込まれる回路部分の目的および機能に適すると見られるような、任意の適切な能動型および／または受動型の電子または電気回路素子（例えばシリコンチップ、抵抗、インダクタ、キャパシタ等。図示されていない）が含まれる。防護体は、完全な回路または回路の部分（もしくは両者）を含むことができる。回路基板（３、４）は、図１ｂに示すように、いくつかの別個の比較的広い領域（９、１０）を有するような形状にすることができる。この広い領域は、それぞれ、隣り合う厚い回路基板の領域（４）上にグループとしてまとめられた一群または一団の電子素子を含んでいる。このような個別の各群は（９、１０）は、相対的に薄い回路基板（３）のブリッジまたは狭隘部（８）によって他の同種の群と機能接続することができる。このブリッジまたは狭隘部（８）上には信号線路が形成され、それを介して、１つの群の素子が他の群の素子と通信することができる。
【００７１】
代替的に、あるいは追加的に、このような接続ブリッジまたは狭隘部を、選定された個別の群の間には設けなくてもよい場合がある。それは、このような通信が必要ないか、あるいは、この選定された群と、この群が使用時に無線通信するように配置される素子群とには無線の通信手段が装備されているからである。このため、防護体の内部に組み込まれる電子部品は、無線の信号送信器および／または受信器を含むことができる。信号線路手段は、防護体内部の回路素子間の信号の無線受信および／または送信用、および／または防護体の外部へ、または外部からの無線信号の送信および／または受信用のアンテナ（図示されていない）となるような形状に構成することができる。信号線路手段は、パッチアンテナまたはマイクロストリップアンテナ（図示されていない）を形成する形状の部分を含むことができる。この目的には、当業者には容易に明らかであるような任意の適切な既存の無線送信または受信手段および方法を用いることができる。例えば、移動電話技術を使用することが可能であり、例えば「Ｂｌｕｅ  Ｔｏｏｔｈ」無線技術を使用することができる。
【００７２】
組み込まれる回路素子は、単に、より大きな回路の一部を形成するものでもよい。その回路のいくつかの部分は、防護体の外側にあるが、無線および／または信号接続器によって、組み込まれた素子と通信する。このような信号接続器（図示されていない）は、組み込まれた素子と外部素子との間の物理的なインターフェース（例えばソケット）を提供する。
【００７３】
組み込まれる回路素子は、所要の信号処理および／または制御機能をいくらでも果たすように（例えばプログラム化またはハードウェア化されて）構成される信号プロセッサ手段を含むことが望ましい。このプロセッサは、再プログラム化可能であり、好ましくは、通常、既存の構成における複数の別個の外部プロセッサによって実現される多様な複数の機能を実行するものとすることができる。
【００７４】
例えば、このプロセッサは、衣服の着用者に搬送される、または着用者から搬送される外部通信信号を処理し、それによって外部通信信号プロセッサの必要性を排除するように構成することができる。信号は、組み込まれたアンテナ手段によって受信および／または送信することができ、それによって外部アンテナも必要なくなる。代替的あるいは追加的に、防護体内の信号接続器手段は、信号を、防護体内部に組み込まれたプロセッサから、この接続器手段に機能接続し得る外部アンテナに送ることを可能にするようにしてもよい。
【００７５】
多くの種類の防護体材料、特に、各種ＥＧケブラー（ＲＴＭ）の可撓性防護体材料は、衝撃作用する投射体に関連する運動エネルギーを、投射体の軌道に対して横方向に、防護体材料に沿って分散させる手段を提供することによって機能する。いかなる正当な分散効率も、この材料が水分を吸収すると急速に低下する。この現象は、ドラムの膜が水分を含むと、衝撃作用するドラムスティックのヘッドの運動エネルギーを横方向に分散させるドラムの膜の能力が低下する現象に似ている。エネルギーを横方向に分散させる効率が低下すると、投射体が防護体を貫通する可能性が高まることになる。明らかに、このような状況は、特に防護衣服の着用者に対して望ましいことではない。
【００７６】
本実施例においては、組み込まれる回路素子が、それが組み込まれる防護積層体の内部で湿度のレベルを監視するようにプログラムされた信号プロセッサ（図示されていない）を含んでいる。防護体の内部の能動型および受動型の回路素子は、湿度および／または水分および／または温度の検知器を含んでおり、これらの検知器が、検知される内部の湿度または水分のレベルを示す信号を信号プロセッサ手段に送る。信号プロセッサは、プロセッサ内部に保存された限界値を超える水分または湿度レベルが防護体内部に存在することを示す信号を発生するように構成される。この信号は、防護体の外部に対して、無線搬送される警告メッセージまたはデータとして、あるいは、聴覚信号によって、あるいは、防護体または衣服に装着され、かつ信号プロセッサと機能接続されるかまたはそれと通信する視覚表示手段（例えばＬＣＤスクリーン、図示されていない）を介して視覚的に、着用者（またはその他関係者）に通信される。
【００７７】
図２は、信号回路および受動型素子または能動型素子またはプロセッサ素子が装着される可撓性回路基板構造の概略的な断面図を示す。この回路基板構造は、ＥＧケブラータイプの可撓性材料の２枚のシート（１８、１９）を含む。この２枚のシートの対向する面（１６、１７）上に（あるいはその内部に埋め込まれて）、受動型および／または能動型の回路素子（２０）と信号線路部品（２１）とが装着される。２枚のシートはその対向する面において合わせて接着され、回路素子がその中に閉じ込められた単一の回路担持積層基板を形成する。接着される対向面は、１つの面の選択された信号線路の構成部分が、使用時に通信するべき反対側の面の対向信号線路部分または素子と位置が合って接続または接触するように位置決めされる。接着される２枚の対向シート（１８、１９）のそれぞれは、能動型/受動型素子を担持する相対的に厚い部分（４）と、信号線路部品のみを担持する相対的に薄い部分（３）とを有している。１枚のシートの薄い部分および厚い部分は、積層体において薄い部分と厚い部分とが合致するように、それぞれ、反対側のシートの薄い部分および厚い部分と位置が合っている。
【００７８】
図３は、防護チョッキ（１）１つの側面（例えば胸部プレート）の全体の断面図を概略的に表している。
【００７９】
この防護体は、可撓性防護材料（例えばケブラー）の複数のシートを備えた積層体を含んでおり、そのシートの間に、図２の回路基板層（３、４）が挟み込まれ、金属箔または金属化されたプラスチックシートから構成される電磁（ＥＭ）遮蔽層（３６）に対しても挟み込まれる位置関係にある。このＥＭ遮蔽層（３６）は、一緒になって２枚の可撓性防護シート（３２）を全体的に包み込んでおり、その２枚の可撓性防護シート（３２）もそれ自体で回路基板層（３、４）を包み込んでいる。さらに２枚の可撓性防護材料のシート（３３、３４）が、２枚のＥＭ遮蔽層のそれぞれの上に重なっている。この９層の内部積層体構造は、さらに、それぞれプラスチック材料のような耐久性のある防水材料の１枚（または複数枚）のシートからなる外側の２枚の蒸気遮蔽層内に閉じ込められる（かつその間に挟み込まれる）。
【００８０】
２枚のＥＭ遮蔽層も、それぞれ、その間に挟み込まれた可撓性防護シート（３２）を水分から保護するだけでなく、回路製品をも同様に保護する水分遮蔽層として機能する。従って、水分から保護された防護体の１１層の積層体が提供される。この積層体内部における層の形成は、その中心における回路基板層に関して対称である。非対称の層形成も当然用いることができる。
【００８１】
材料(例えば繊維)の最後の表面層（６）が装着されて、防護積層体がその中に収納されるチョッキの構造の一部分を形成する。表面層は任意の適切な耐久性材料（例えばキャンバス）とすることができる。図１ｂを参照すると、このチョッキは、チョッキの胸部範囲上に位置する外側のポケット（１１）を有しており、その中に、硬質セラミックの弾道防護体のタイルが収納されている。この硬質の防護体タイルは、また、例えば無線送信器および／または受信器と、タイルの表面に装着されるＬＣＤコンピュータ表示端末（図示されていない）を制御する電子機器とを含む電子機器層を組み込むことができる。この表示端末は、防護体のタイルの内部に組み込まれかつ収納されるコンピュータ手段に対するインターフェースとなる。同一または類似の構成を、上記の可撓性の防護積層体についても設けることができる。
【００８２】
上記の実施例は、限定的な実施例として意図したものではないことが正しく認められるべきである。また、当業者には容易に明らかなように、上記の実施例の変形態または修正も、本発明の範囲から逸脱することなくなすことが可能であり、かつ具現化されることも認められるべきである。
【図面の簡単な説明】
【００８３】
【図１ａ】防護衣服の１態様である防護チョッキ形の製品を示す外観図。
【図１ｂ】図１ａの防護チョッキ形の防護衣服において電子回路製品を防護体の内部に組み込んだ状態を示す要部破断図。
【図２】図１ａおよび図１ｂの防護チョッキ形の防護衣服の内部に用いられる防護材料の中に埋め込まれかつ包み込まれた電子回路製品を概略的に示す断面図。
【図３】図１に示した防護衣服における多層構造を概略的に示す断面図。
【符号の説明】
【００８４】
１…防護衣服、
２…内層、
３、４…回路基板、
５…外層、
６…表面層、
７…胸部防護プレートタイル、
１１…ポケット、
２０…回路素子、
２１…信号線路部品、
３２、３３、３４…可撓性防護シート、
３６…電磁遮蔽層。
【図１ａ】
2008504514.tif 000003
【図１ｂ】
2008504514.tif 000004
【図２】
2008504514.tif 000005
【図３】
2008504514.tif 000006
【国際調査報告】
2008504514.tif 000007
2008504514.tif 000008
2008504514.tif 000009
2008504514.tif 000010